(57)【要約】      （修正有）【課題】低速後負荷運転時に特に発生する騒音を低減する。【解決手段】内部に振動源を含み、環状の被取付部１１を有する密閉容器と、被取付部１１に取付けられた弾性を有する防振材３と、締結具４とを備え、防振材３は、締結具４の外径に等しい又はやや小さい径の狭空隙３１を有し、狭空隙３１は締結具４の外径Ｒ１よりやや小さい径であり、締結具４が狭空隙３１に挿通されると、防振材３のうち狭空隙３１を囲む部分が外径側に弾性変形する圧縮機。【選択図】図４
2020122437.tif 000002
【特許請求の範囲】
【請求項１】
内部に振動源を含み、環状の被取付部を有する密閉容器と、
該被取付部に取付けられた弾性を有する防振材と、
締結具と、を備え、
前記防振材は、前記締結具の外径に等しい又はやや小さい径の狭空隙を有する圧縮機。
【請求項２】
前記狭空隙は、前記締結具の外径よりやや小さい径であり、
前記締結具が前記狭空隙に挿通されると、前記防振材のうち前記狭空隙を囲む部分が外径側に弾性変形する請求項１に記載の圧縮機。
【請求項３】
前記狭空隙を囲む部分は、前記締結具と前記被取付部とに挟まれている請求項２に記載の圧縮機。
【請求項４】
前記防振材は、前記狭空隙より大径で、前記締結具の直径の１．１倍以上の広空隙を有する請求項１乃至３何れか一項に記載の圧縮機。
【請求項５】
請求項１乃至４何れか一項に記載の圧縮機を備える機器。
【請求項６】
請求項１乃至４何れか一項に記載の圧縮機を機械室の底板に設置した冷蔵庫であって、
前記締結具は、前記底板及び前記防振材に挿通され、
前記防振材は、
前記底板と前記締結具に配されたフランジとに挟まれる位置に設けられ、
前記被取付部を前記締結具の延在方向両側で挟む形状である冷蔵庫。
【発明の詳細な説明】
【技術分野】
【０００１】
本発明は、圧縮機及びこれを有する機器及び冷蔵庫に関する。
【背景技術】
【０００２】
近年、冷蔵庫では、主に冷凍温度帯の冷気を生成する蒸発器と冷蔵温度帯の冷気を生成する蒸発器とを搭載することが提案されている。これにより冷蔵温度帯の冷気を生成する蒸発器では、比較的高温（すなわち高密度）の冷媒がサイクルを流れて圧縮機に吸い込まれる。したがってピストンによって圧縮する際の負荷が大きく、振動源になりやすい。また同様に近年、圧縮機の低速化が進行している。すなわちピストンの運動における慣性が低下してきており、高負荷である冷媒の圧縮過程と低負荷である冷媒の吸込み過程とで負荷変動が大きく、これによりピストンの速度脈動が大きくなってきている。これらが合わさった結果、従来では想定されていなかった振動源（騒音源）が現れる（目立つ）ようになってきている。
【０００３】
さて、圧縮機を床面等に固定する技術に関して、特許文献１は、ボルト６５を囲うようにマウントゴム６３より硬いカラー部材７０を配置し、ボルト６５のねじ部６５Ａの径よりも僅かに大きい径に形成されて当該ボルト６５のねじ部６５Ａが遊嵌される構成を開示する（０００８，００１６、図３）。
【先行技術文献】
【特許文献】
【０００４】
【特許文献１】特開２０１2−１７７３１５号公報
【発明の概要】
【発明が解決しようとする課題】
【０００５】
本発明者らによれば、近年のピストンの高負荷化や低慣性化が進行すると、特許文献１のマウントゴム６３に相当する領域から騒音が発生することが見いだされた。検討の結果、特許文献１のようにカラー部材７０とボルト６５とが遊嵌されていると騒音が発生することが判明した。特許文献１は、圧縮機が運転すると脚片部６２が振動するため、この振動が補強板７２等に伝達しないよう、マウントゴム６３を設けているものの、カラー部材７０とボルト６５のいずれかが振動すると両者が接触して騒音が発生する。
【課題を解決するための手段】
【０００６】
上記事情に鑑みてなされた本発明は、
内部に振動源を含み、環状の被取付部を有する密閉容器と、
該被取付部に取付けられた弾性を有する防振材と、
締結具と、を備え、
前記防振材は、前記締結具の外径に等しい又はやや小さい径の狭空隙を有する圧縮機。
【図面の簡単な説明】
【０００７】
【図１】実施例１の圧縮機を底板に取付けた際の上面図
【図２】実施例１の圧縮機の縦断面図
【図３】実施例１の防振材と締結具の分解斜視図
【図４】実施例１の防振材周囲の拡大断面図  以下、本発明の実施例を添付の図面を参照しつつ説明する。
【実施例１】
【０００８】
図1は本実施例の圧縮機を底板に取付けた際の上面図、図2は本実施例の圧縮機の縦断面図、図3は本実施例の防振材３と締結具４の分解斜視図、図４は本実施例の防振材３周囲の拡大断面図である。
圧縮機は、例えば冷蔵庫の機械室の底板２上に設置され、底板２近くで概ね底板２と平行に延在する有孔で面状の被取付部１１を有する密閉容器１、被取付部１１に設けられた防振材３、防振材３の被取付部１１からの脱離を抑制する締結具４を有している。密閉容器1内には、振動源としてのモータ、モータの駆動に従って往復動する振動源としてのピストン5、ピストン５が摺動するシリンダ６を有している。防振材３と締結具４とは、本実施例では４つ配されている。なお、図２では締結具４を図示していない。
【０００９】
防振材3は、例えばゴム等の弾性部材で形成されて圧縮機の重量を支持する部材である。防振材３は、密閉容器１側に配された、締結具４の外径Ｒ１に等しい又はやや小さい内径Ｒ１’の空隙である狭空隙３１と、底板２側に配された、締結具４の外径よりも大きい内径Ｒ２の空隙である広空隙３２と、を囲む中空筒状部材である。「やや小さい」とは、締結具４が狭空隙３１に挿通された場合に防振材３の狭空隙３１を囲む部分が締結具４によって押されて弾性変形するものの破損せずに締結具４の挿通が可能であることをいうことができる。
【００１０】
狭空隙３１を囲む部分と広空隙３２を囲む部分との間には、長さ（Ｒ２−Ｒ１）に亘って延在して狭空隙３１を囲む部分と広空隙３２を囲む部分とを接続する接続部３３が配されている。防振材3は、狭空隙３１を囲む部分、広空隙３２を囲む部分、及び接続部３３が一体成形されている。
狭空隙３１を囲む部分のうち広空隙３２を囲む部分から離れた部分には、外径方向に出っ張った凸部３１１が設けられている。
【００１１】
まず圧縮機は、被取付部１１が防振材３の広空隙３２を囲む部分上に載置されることで、底板２との間に防振材３を挟んで設置される。そして、被取付部１１の孔内に、狭空隙３１を囲む部分が配され、被取付部１１の孔上側に凸部３１１が位置し、かつ孔下側に接続部３３が位置することで、被取付部１１が上下に変位することを抑制できる。これにより、圧縮機の運転に伴う振動（密閉容器１、すなわち被取付部１１が振動する。）や輸送時の振動によって被取付部１１が防振材３から脱離することを抑制できる。なお、被取付部１１の孔は狭空隙３１外径寸法Ｒ３に略等しい径である。
【００１２】
本実施例では、防振材３内の空隙に締結具４を挿通することでさらに両部材の脱離を抑制している。狭空隙３１に締結具４が挿通すると、狭空隙３１を囲む部分は好ましくは締結具４によって外径側に膨らんで弾性変形し、被取付部１１と締結具４との間に支持される。これにより締結具４と狭空隙３１との密着性が向上し、強固な取付にするとともに、防振材３と締結具４との間に隙間が生じることを抑制できる。すなわち、被取付部１１の振動が防振材３を振動させたとき、防振材３と締結具４との間に隙間が生じていると両者が接触して騒音が発生してしまうが、本実施例に依ればこれを抑制できる。
【００１３】
防振材３のうち、広空隙３２を囲む部分は、締結具４より大径の空隙、好ましくは締結具４の直径の１．１倍以上、１．５倍以上、又は２．０倍以上である。これにより、締結具４との接触の虞を低減させることができる。すなわち、被取付部１１近傍である狭空隙３１を囲む部分によって、防振材３と締結具４との固定を行い、その他の領域では接触そのものをしにくい構成とすることで騒音の発生の虞を低減している。
【００１４】
締結具4は、例えば金属で形成されることができ、底板２及び防振材３の孔に挿通されるボルト等にすることができる。挿通後、フランジ４１を配して底板２とフランジ４１との間に防振材３が位置するようにすることで、防振材３が締結具４から脱離する虞を低減させることができる。
【００１５】
本実施例の圧縮機は、冷蔵庫等の各種冷凍機器、機器に設けることができる。
【符号の説明】
【００１６】
１  圧縮機
２  底板
３  防振材
４  締結具
５  ピストン（振動源）
６  シリンダ
【図１】
2020122437.tif 000003
【図２】
2020122437.tif 000004
【図３】
2020122437.tif 000005
【図４】
2020122437.tif 000006